(57)【要約】【課題】油槽船の上甲板上から貨油管など諸管をなくし、上甲板上の通行を容易にする。【解決手段】  鉱石・油兼用船の中央貨油槽３４の上部、縦通隔壁３２と倉口３８の間に挟まれるように、ほぼ矩形断面の密閉構造のパイプ通路４２を形成する。ポンプ室を出て船体中央部のショアコネクション４８に向かう貨油送出管５０は、２本が右舷パイプ通路を通り、残り１本が左舷パイプ通路を通っている。右舷パイプ通路は船体中央部までしかないが、左舷パイプ通路は船首近くまで延びており、その左舷通路の中にイナートガス管５８を通す。【選択図】図３
2008132974.tif 000002
【特許請求の範囲】
【請求項１】
上甲板裏の船体内部に前後方向に延びるパイプ通路を設け、その中に、船体後部に配置されるポンプ室と船体中央部上甲板上に向けられるショアコネクションとを結ぶ貨油送出管を収納して成り、該パイプ通路は周囲を密閉構造の囲壁で覆われ、その囲壁の天井部分は船体上甲板で形成されている油槽船の配管構造。
【請求項２】
該パイプ通路が船体前部まで延びており、その中に、船体後部に配置されるイナートガス発生装置からイナートガスを各貨油タンクに送るイナートガス管を導設した請求項１の油槽船の配管構造。
【請求項３】
該パイプ通路が、船体内部を何列かの油槽に分割するように設けられた縦通隔壁に接して配置され、該縦通隔壁が該パイプ通路の片側囲壁を構成している請求項１または２に記載の油槽船の配管構造。
【請求項４】
固形貨物も積載できるよう上甲板に倉口を有し、該倉口の側縁を通るように上甲板下面に取り付けられたハッチサイドガーダーが該パイプ通路の片側の囲壁を構成している請求項１または２に記載の油槽船の配管構造。
【請求項５】
船側バラストタンクを有し、該パイプ通路が該船側バラストタンクに接するように配置され、該パイプ通路の片側の囲壁が該船側バラストタンクの内側壁で形成されている請求項１または２に記載の油槽船の配管構造。
【請求項６】
該パイプ通路が、その中を人が通行できるような広さに形成された請求項１または２に記載の油槽船の配管構造。
【請求項７】
該パイプ通路が該上甲板上に通じる複数の出入り口を有している請求項１または２に油槽船の配管構造。
【発明の詳細な説明】
【技術分野】
【０００１】
この発明は広義の油槽船、すなわち、原油だけを積む専用油槽船および、原油だけでなく鉱石や石炭など固形貨物も積める兼用油槽船に関し、特にその貨油管その他の配管構造に関する。
【背景技術】
【０００２】
従来の油槽船では、図８（ａ）に示すように、船尾の機関室１８の前に設けられたポンプ室１６に貨油ポンプ１７が設置され、これに、各カーゴタンクに連通する貨油吸入管５７と、船体中央部上甲板上に設けられるショアコネクション４８に連なる貨油送出管５０がそれぞれ接続している。オイル（原油）を荷揚げするときは、各油槽の油が貨油吸入管５７を通って貨油ポンプ１７に吸い込まれ、貨油ポンプから貨油送出管５０を通ってショアコネクション４８に達し、これから陸側受入施設に送り出される。貨油吸入管５７は、吸入効率を上げるため、カーゴタンク内のなるべく低いところを通すのが普通である。他方、貨油送出管５０はポンプ室から上甲板３０上に立ち上げ、そのまま上甲板上を通って船体中央部まで達している。
【０００３】
このような配管では、上甲板上に導設された貨油送出管５０は、波や潮風に晒されて腐食し易く、保守作業に多大の費用がかかる。さらに、上甲板上を導かれた大径の貨油送出管５０は、上甲板上の左右方向の通行を阻害し、乗組員の作業能率を低下させている。
【０００４】
そこで、特許文献１および同２では、図８（ｂ）に示すように、油槽船の貨油送出管５０を、上甲板上でなく貨油タンク内を通し、船体中央部で上甲板上に立ち上げて、ショアコネクション４８に接続することを提案している。こうすれば、貨油送出管５０が、上甲板からなくなって、腐食や甲板上の通行の障害にならなくなる。
【０００５】
しかし、従来の油槽船で上甲板上の交通の妨げになっているのは貨油送出管だけではない。その他に上甲板上に沿って導設されるものとして、燃料油積込管、貨油ストリッパー管、消防主管、タンククリーニング管、電線管などがある。また、最近の大型タンカーでは爆発事故を防止するためイナートガス装置を備えており、船体後部に配置されたイナートガス発生装置から導かれたイナートガス主管が上甲板上を船首近くまで導設されており、これもまた、上甲板の通行の邪魔になっている。
【０００６】
特に、鉱石やバルクも積めるようにした兼用油槽船では、上甲板に倉口があり、上甲板上の通行はいっそう問題が多い。加えて、鉱石や石炭などの荷役時には、鉱石や石炭が諸管の上にこぼれ落ちるので、諸管の上に保護カバーが必要になり、荷役後に保護カバーの下に溜まった鉱石・石炭くずを取り除くのにたいへん手がかかるという問題もある。
【０００７】
したがって、貨油送出管を貨油タンク内に通すだけでは、上甲板上の通行、掃除、パイプの腐食劣化などの問題の根本的解決にはならない。
【特許文献１】実開昭５５−１０７４９８号公報
【特許文献２】特開平０８−２９５２８８号公報
【発明の開示】
【発明が解決しようとする課題】
【０００８】
この発明は、従来の専用又は兼用油槽船におけるこのような諸問題を解消することを課題とするものである。
【課題を解決するための手段】
【０００９】
この発明に係る貨油配管構造は、上甲板裏の船体内部に前後方向に延びるパイプ通路を設け、その中に、船体後部に配置されるポンプ室と船体中央部上甲板上に向けられるショアコネクションとを結ぶ貨油送出管を収納して成る。パイプ通路は周囲を密閉構造の囲壁で覆われ、その囲壁の天井部分は船体上甲板で形成する。
【００１０】
このように上甲板下にパイプ通路を設け、その中に貨油送出管を収納することにより、貨油送出管から油が漏れたときに、直ちに海に流れ出ることを防止することができ、安全性が向上する。また、上甲板上に貨油送出管がなくなるので、人や作業車の通行が容易になる。また、パイプ通路内を通る貨油送出管は、上甲板上にあった場合と異なり、波や潮風に晒されなくなり、さびの発生が押さえられ、補修費が節減できる。
【００１１】
パイプ通路には、貨油送出管だけでなく、イナートガス管をはじめ、タンク洗浄管  消防主管、電線管、貨油ストリッパー管、燃料油積込管など、従来船で上甲板上を前後に走っていた諸管のほとんどを通すことがでる。こうすれば、上甲板上の通行、掃除、パイプの腐食劣化などの諸問題をほとんど解消できる。なお、イナートガス管、タンク洗浄管  消防主管などのパイプは船首近くまで導設しなければならないので、これらの管を通すパイプ通路は船首近くまで延設する。
【００１２】
パイプ通路は、船体内部を何列かの油槽に分割するように設けられた縦通隔壁に接して、または、船側に設けられたバラストタンクに接するように配置することができる。このような配置にすれば、船体構造部材をパイプ通路の囲壁の一部として利用できるので、材料が節約でき、パイプ通路を安価に作ることができる。
【００１３】
パイプ通路は、上甲板上から出入りできるように、閉鎖装置付きの出入り口を設ける。、通路内は、人が楽に通れる広さに形成する。また、パイプ通路内に可燃性ガスが溜まって火災事故に至らないよう、パイプ通路には、通風装置、ガス検知器、さらには自動消火装置などを備えることが好ましい。
【発明を実施するための最良の形態】
【００１４】
最初に鉱石・油兼用船の場合について説明すると、図１および図２に示すように、船体は横隔壁１０によって区画され、前から、船首部１２、カーゴスペース１４、ポンプ室１６、機関室１８、船尾部２０の順で連なっている。機関室１８の上に居住区２２および操舵室２４が設けられている。
【００１５】
カーゴスペース１４は図３に示すように船底および船側とも二重船殻構造になっていて、その内部はいずれもバラストタンク２６，２８になっている。これら二重船殻構造と上甲板３０で囲まれたスペースは左右の縦通隔壁３２よって、中央貨油槽（兼鉱石ホールド）３４と左右貨油槽３６とに区画されている。中央貨油槽３４の直上の上甲板３０には倉口３８が設けられ、倉口は油密構造のハッチカバー４０を備えている。
【００１６】
中央貨油槽３４の上部、縦通隔壁３２と倉口３８の間に挟まれるように、ほぼ矩形断面の密閉構造のパイプ通路４２が形成されている。パイプ通路を取り囲む囲壁は、上側が上甲板３０で、外側が縦通隔壁３２で構成され、また、内側囲壁は上甲板下面に設けられたハッチサイドガーダー４６を利用して作られている。このようにパイプ通路は、囲壁の３面を船体構造部材３２、４６で兼用したので、安価に作ることができる。
【００１７】
このようにして上甲板裏の両舷にパイプ通路４２に形成し、その中に、従来、上甲板上に導設していた諸管を導設するようにする。図２に示すように、両舷のパイプ通路はいずれもポンプ室１６から前方に延びているが、左右舷で長さは異なっており、右舷パイプ通路はほぼ船体中央までしかなく、左舷パイプ通路は船首近くまで延びている。
【００１８】
ポンプ室１６を出て船体中央部のショアコネクション４８に向かう貨油送出管５０は、この船の場合、全部で３本あり、図３に示すように、そのうちの２本を右舷パイプ通路に、残り１本を左舷パイプ通路に通してある。左右各弦のショアコネクション４８はクロスオーバー管５２で結ばれており、パイプ通路を通る貨油送出管５０は、船体中央部で上甲板上に引き出され、クロスーバーパイプ５２に接続される。
【００１９】
その他、右舷のパイプ通路４２にはショアコネクション４８に繋がる管類５４、例えば燃料油積込管や貨油ストリッパー管などが収納されている。
【００２０】
この船は貨油槽の爆発事故を予防するために、揚荷時や航海中、貨油タンクが負圧になったとき、タンク内に外気ではなくイナートガス（主ボイラの排気を処理して得られるもので、酸素をほとんど含んでいない。）が吸い込まれるようになっている。イナートガスを送る管は貨油送出管５０と同程度の大径管であるが、このイナートガス管５８は左舷パイプ通路内を通して、船首近くまで導いてある。イナートガス管５８の途中からは枝管６０が分岐し、図４に示すように、それら枝管は上甲板上を通って各貨油槽３４、３６に達している。
【００２１】
左舷パイプ通路には、図３および図４に示すように、貨油送出管５０とイナートガス管５８のほかに、船首部まで延びていく管類６２、例えばタンク洗浄管、消防主管、電線管などが通してある。
【００２２】
パイプ通路４２の内部では、弁の開閉などの操作、諸管の保守点検作業などを行うので、上甲板３０からパイプ通路４２に出入りできるように、複数の出入口６８を設け、出入口は水密扉で閉鎖できるようにする。また、パイプ通路４２の中を人が通行できるような広さを確保することも大切である。
【００２３】
可燃性ガスが溜まって火災事故に至らないよう、パイプ通路４２には、通風装置、ガス検知器、さらには消火装置（例えば炭酸ガス式）などを備えることが好ましい。
【００２４】
その他、符号５７は貨油吸入管であり、左右貨油槽３６の底部を通ってポンプ室１６に向かって導設されている。
【００２５】
上述の実施例ではパイプ通路４２が縦通隔壁と倉口の間に設けられていたが、図５に示すように、パイプ通路を上甲板の直下、船側バラストタンク２８に接して設けることもできる。この場合、パイプ通路４２の囲壁の外側部は船側バラストタンク２８の内壁２９でそれぞれ構成される。パイプ通路内を通る諸管は図３の場合と同一である。
【００２６】
図６は専用油槽船の場合を示す。この船では倉口がないので、同図に鎖線で示すように、１本のパイプ通路４２を船体中心を通るように設け、その中に、貨油送出管、イナートガス管、その他のパイプ類を収納する。あるいは、同図に実線で示すように、パイプ通路４２を船側二重船殻構造に接する格好で両舷対称に設けることもできる。
【００２７】
図７はＯＢＯ船、すなわち、オイル、バルク、鉱石の兼用油槽船の場合を示したもので、パイプ通路４２は、船側バラストタンク２８と倉口３８の間に挟まれる格好で形成されている。この種の船では、倉口の幅が大きく、したがって倉口側部の上甲板上通路が非常に狭いので、その狭い通路に諸管を通さないようにすることのメリットは大きい。
【図面の簡単な説明】
【００２８】
【図１】鉱石・油兼用船の船体側面図である。
【図２】図１の船の船体平面図である。
【図３】図２の３−３矢視船体断面図である。
【図４】図２の４−４矢視船体断面図である
【図５】鉱石・油兼用船の別の実施例を示す船体中央断面図である。
【図６】専用油槽船の実施例を示す船体中央部断面図である。
【図７】鉱石・バルク・油兼用船の実施例を示す船体中央部断面図である。
【図８】従来の油槽船の貨油管配置を示す船体側面図である。
【符号の説明】
【００２９】
１６  ポンプ室
２８  船側二重船殻構造
３０  上甲板
３２  縦通隔壁
３４  中央貨油槽
３６  左右貨油槽
３８  倉口
４２  パイプ通路
４６  ハッチサイドガーダー
４８  ショアコネクション
５０  貨油送出管
５７  貨油吸入管
５８  イナートガス管
【図１】
2008132974.tif 000003
【図２】
2008132974.tif 000004
【図３】
2008132974.tif 000005
【図４】
2008132974.tif 000006
【図５】
2008132974.tif 000007
【図６】
2008132974.tif 000008
【図７】
2008132974.tif 000009
【図８】
2008132974.tif 000010